(57)【特許請求の範囲】
【請求項１】
直方体状の容器の上面及び前面を開口し、底板をスライド板と固定板とに分割し、スライド板を固定板の上面に移動可能に形成してなる積み重ね容器において、固定板の上方に、前方へ移動可能な後部スライド板を設け、固定板と後部スライド板間にスライド板を出し入れ可能に形成してなることを特徴とする積み重ね容器。
【発明の詳細な説明】
【０００１】
【発明の属する技術分野】
本発明は、積み重ね容器に関し、詳しくは容器に食品や雑貨等の各種物品を収納して複数段積み重ね、その状態で上記物品を容易に取り出し得るようにした積み重ね容器に関するものである。
【０００２】
【従来の技術】
スーパーマーケット、特にディスカウントストアーにおいては、品物を個々に陳列棚に置く手間を省くため、例えば食品や雑貨類を収納したボール箱が上面や前面を切開した状態のままで店内に配置され、客はそのボール箱内の品物を直接取り出すようになっている。
【０００３】
また、卵のように壊れ易い品物の場合、専用のラックとケースを店内に配置し、上段のケース内の卵がなくなった時点でケースを取り外し、下段のケース内の卵を順次取るようになっている。
【０００４】
【発明が解決しようとする課題】
しかしながら、上記前者及び後者においては上段の容器（ケース）を取り外さなければ下段の容器からは品物を取り出せないという不具合があった。
また、後者の場合においては専用のラック及びケースが運搬時に嵩張り、運搬効率を低下させている。
そこで、本発明はかかる従来の課題に鑑みて、容器を複数段積み重ねた状態で中の品物を容易に取り出し得るようにすると共に、嵩張らず効率よく運搬できる。
【０００５】
【課題を解決するための手段】
解決する手段として、直方体状の容器の上面及び前面を開口し、底板をスライド板と固定板とに分割しスライド板を固定板の上面に移動可能に形成してなる積み重ね容器。
固定板の上方に、前方の移動可能な後部スライド板を設け、固定板と後部スライド板間にスライド板を出し入れ可能に形成してなる積み重ね容器。
また、容器における側板上端に、容器積み重ね時、容器の側板下端に突設した係合突起を係止する係止溝を形成した積み重ね容器。
さらに、容器収納時、裏返し反転した上方の容器の係止溝を係止すべく、容器における側板内側中央付近に係止突起板を形設した積み重ね容器。
さらにまた、容器における両側板の前面下方に突片を設けると共に、容器における後板の上端両側に、突片を受けるための受片を形成し、容器収納時、裏返し反転した上方の容器の突片を下方の容器の受片に置き、同様に上方の容器の受片を下方の容器の突片に被ぶせて支持固定する積み重ね容器。
【０００６】
【実施例】
以下、本発明の実施例を図面に基づいて詳細に説明する。
１は積み重ね容器で、直方体状の上面Ａ及び前面Ｂが開口され、側板２・２及び後板３と底板４における固定板４ａを硬質合成樹脂材料等により一体成形し、固定板４ａの前方に、前後移動可能なスライド板４ｂを設けている。
側板２・２の上端やや前方位置には、容器積み重ね時、側板２・２の下端やや前方位置に突設した係合突起２ａを係止する係止溝２ｂ（同軸線上）を形設してある。
また、容器積み重ね時における左右の摩れ止めとして係合突起２ａの両側に隙間Ｓをあけてレール状の係止板２ａ１を設けると共に、容器収納時に上段の容器の係止板２ａ１を係止すべく内側に内側係止板２ａ２を設けてある。
さらに、両側板２の内側下端に後述するスライド板４ｂを支持する支持レール２ｃを水平方向に設け、そのやや上方にスライド板４ｂの後方あるいは前方への移動をスムーズに行うための案内片２ｄを両側４箇所に設けると共に、容器収納時に裏返し反転した上段の容器の係止溝２ｂを係止して支持すべく、両側板２の内側中央付近に平面Ｌ字形の突起２ｅ１を突設した係止突起板２ｅを形設してある。
なお、スライド板４ｂは、手前に取っ手４ｂ１を設け、固定板４ａの上面に移動可能に形成してある。
【０００７】
つぎに、使用例を説明する。
例えば、卵パックを入れて運搬及び陳列する場合において、まず卵パックＴを入れた積み重ね容器１Ａにおける側板２・２の上端に、卵パックＴ１を入れた上段の積み重ね容器１Ｂの係止板２ａ１を差し込み、狭持すると共に、上段の係合突起２ａを下段の係止溝２ｂに挿入し、係止固定する。
つまり、左右前後に摩れることがない。
上記のような手順により、必要個数積み上げ、トラック等の荷台に積んで運搬することができるものである。
また、陳列においては、まず上記のように積み上げられた積み重ね容器１−−−を店内の所要のフロアーＦに置く。
つぎに、お客様が上段の積み重ね容器１Ｂ内にある卵パックＴ１を順次取って行き、スライド板４ｂの卵パックＴ１がなくなった時点で、取っ手４ｂ１を掴んで後方へ押すことにより案内板２ｄに沿って固定板４ａ上にある卵パックＡ２を掬って固定板４ａ上面に移動させる。
つづいて、卵パツクＴ２を取り、上段の積み重ね容器１Ｂ内の卵パックＴ１・Ｔ２が全てなくなった時点で、下段の積み重ね容器１Ａ内の卵パックＴを順次取る。
【０００８】
上記のように陳列棚とし使用した後の容器収納時、まず下段の積み重ね容器１Ａ１内に裏返して反転した中段の積み重ね容器１Ｂ１を載置させるべく、まず下段の積み重ね容器１Ａ１の側板２の上端の係止溝２ｂに、中段の積み重ね容器１Ｂ１の一方の突起２ｅ１を挿入して係止させ、係止突起板２ｅにて支持すると共に、下段の積み重ね容器１Ａ１の一方の突起２ｅ１に対して中段の積み重ね容器１Ｂ１の側板２の上端の係止溝２ｂを挿入して係止され、同様に係止突起板２ｅにて支持する。
つぎに、中段の積み重ね容器１Ｂ１の内側係止板２ａ２を、上段の積み重ね容器１Ｃ１の係止板２ａ１と係合突起２ａとの間に差し込むと共に、同様に上段の積み重ね容器１Ｃ１の内側係止板２ａ２を、中段の積み重ね容器１Ｂ１の係止板２ａ１と係合突起２ａとの間に差し込んで支持するものである。
このように、同様な手順で順次上方に積み重ねて容器を収納するのである。
【０００９】
つぎに、第２実施例を説明すると、スライド板２４ｂの後端をへの字形２４ｂ１に形成し、固定板２４ａの上面に移動させる時、スムーズに移動できると共に、への字形２４ｂ１の先端が常に固定板２４ａの上面に接して移動するため品物Ｐの下面に入り込み易い。
【００１０】
つづいて、第３実施例を説明すると、この積み重ね容器３１は固定板３４ａの上方に、前方（後方）に移動可能な後部両側に係止孔５ａを穿設した後部スライド板５を設け、固定板３４ａと後部スライド板５間に前部両側に係止孔３４ｂ１を穿設したスライド板３４ｂを出し入れ可能に形成してある。
上記後部スライド板５は、側板３２の係止突起板３２ｅの下方に設けた断面コの字形の保持具６内に挿設し、上板６ａ後方下端に突設したロックピン６ａ１が後部スライド板５の係止孔５ａに入り込むことにより固定板３４ａの上方に固定できる。
また、上記スライド板３４ｂは支持レール３２ｃと保持具６の下板６ｂ間に挿設し、下板６ｂの前方下端に突設したロックピン６ｂ１がスライド板３４ｂの係止孔３４ｂ１に入り込むことにより前面にて固定できる。
なお、ロックピン６ａ１及び６ｂ１は後部スライド板５及びスライド板３４ｂを前後に移動する時、バネ力で前後動するもので、適度な力で押引することによりロック除去できるものである。
【００１１】
上記積み重ね容器３１の使用方法としては、予め後部スライド板５に置いた品物を必要な時（スライド板３４ｂ上の品物がなくなった時等）に前方へ移動できるものである。
【００１２】
最後に、第４実施例を説明すると、この積み重ね容器４１は容器における両側板４２の前面下方に頂部を半円形状に形成した２本の突片４２ｃ１を設けると共に、容器における後板４３の上端両側に、突片４２ｃ１を受けるための断面半円形状の受片４３ａを形成している。
容器収納時においては、裏返し反転して上方の積み重ね容器４１Ｂの一方（向って右側）の突片４２ｃ１を、下方の積み重ね容器４１の一方（向って右側）の受片４３ａに置く。
つまり、下方の積み重ね容器４１の右側の側板４２の内側に位置させる。
同様に、上方の積み重ね容器４１Ｂの他方（向って左側）の受片４３ａを、下方の積み重ね容器４１の他方（向って左側）の突片４２ｃ１に被ぶせて下方の積み重ね容器４１の左側の側板４２の外側に位置させる。
なお、突片４２ｃ１と受片４３ａの形状は支持固定できる形状であれば特に限定しない。
また、この積み重ね容器４１に前記各実施例にある、係止突起板２ｅは設けていない。
【００１３】
なお、上記各実施例における積み重ね容器の運搬・陳列対応品物としては、卵パックに限定せずボトル・ナット類や菓子類などいろいろな商品に使用できる。また、係合突起２ａとレール状の係止板２ａ１との隙間Ｓをなくし、係止板２ａ１と内側係止板２ａ２に容器収納時（中段の積み重ね容器１Ｂ１と上段の積み重ね容器１ｃ１との収納）係合突起２ａを係止するための切り欠き溝を設けるのも一考である。
【００１４】
【発明の効果】
以上、説明したように本発明の積み重ね容器によれば、前面及び上面が開口されかつ底板のスライド板が後方に移動可能に形成されているため、複数個の容器に種々の品物が収納され積み重ねた状態で運搬でき、そのままの状態で売り場等に設置されると客等は取り出し易い最上段の容器から品物を取りだし、その容器の前方の品物がなくなった時点でスライド板を後方に移動させることにより下段の容器の上面が開口するため、従来のように上段の容器を取り外さなくとも下段の容器から品物を容易に取り出することができ、また空の容器は裏返し反転して積み重ねができコンパクト化されるため運搬が便利となるという効果がある。
また、後部スライド板を設けることにより予め配置している品物を手前に引いて来て容易に取ることができ、特に大きな容器で手が届きにくい場合に有効である。
さらに、スライド板と後部スライド板に別々の品物を配置することにより１つの容器で２つの品物を管理販売できる。
【図面の簡単な説明】
【図１】本発明の第１実施例を示す積み重ね容器の縦断側面図。
【図２】本発明の第１実施例を示す積み重ね容器の正面図。
【図３】本発明の第１実施例を示す積み重ね容器の平面図。
【図４】使用状態（運搬時）の正面図。
【図５】使用状態（陳列時）の縦断側面図。
【図６】使用状態（容器収納時）の一部縦断正面図。
【図７】本発明の第２実施例を示す底板の要部側面図。
【図８】本発明の第３実施例を示す積み重ね容器の一部破断斜視図。
【図９】本発明の第４実施例を示す積み重ね容器の要部の斜視図。
【図１０】使用状態（容器収納時）の略側面図。
【符号の説明】
１−−−積み重ね容器
２−−−側板
３−−−後板
４−−−底板
５−−−後部スライド板
６−−−保持具
Ａ−−−上面
Ｂ−−−前面
【図１】
0003849042.tif 000002
【図２】
0003849042.tif 000003
【図３】
0003849042.tif 000004
【図４】
0003849042.tif 000005
【図５】
0003849042.tif 000006
【図６】
0003849042.tif 000007
【図７】
0003849042.tif 000008
【図８】
0003849042.tif 000009
【図９】
0003849042.tif 000010
【図１０】
0003849042.tif 000011